(57)【要約】【課題】リレー本体で発生する振動のリレー外部への伝搬を効果的に抑制することができる電磁継電器を提供する。【解決手段】電磁継電器（１Ａ−１Ｉ）は、コイル端子１７及び接点端子１８を含むリレー本体１４と、コイル端子１７及び接点端子１８と接触し、リレー本体１４を支持する外部端子１６を含むベース１２と、リレー本体１４を覆う外側カバー１１と、リレー本体１４と外側カバー１１との間に取り付けられる弾性部材（板バネ１３Ａ及び１３Ｂ、板バネ２１、又は弾性部材２６，２７，２８，３３）とを備えている。【選択図】図１
2017139166.tif 000002
【特許請求の範囲】
【請求項１】
第１端子を含む電磁継電器本体と、
前記第１端子と接触し、前記電磁継電器本体を支持する第２端子を含むベースと、
前記電磁継電器本体を覆う外側カバーと、
前記電磁継電器本体と前記外側カバーとの間に取り付けられる弾性部材と
を備えることを特徴とする電磁継電器。
【請求項２】
前記第１端子は、前記電磁継電器本体の底面と平行な第１平坦部を有し、
前記第２端子は、前記電磁継電器本体の底面と平行であり、前記第１平坦部と接触して前記電磁継電器本体を支持する第２平坦部とを有することを特徴とする請求項１に記載の電磁継電器。
【請求項３】
前記弾性部材の両端は、前記外側カバーの内壁又は前記電磁継電器本体の筐体のいずれか一方と係合する第１係合部を有し、前記弾性部材の中間部分は、前記外側カバーの内壁又は前記電磁継電器本体の筐体の他方と係合する第２係合部を有することを特徴とする請求項１又は２に記載の電磁継電器。
【請求項４】
前記外側カバーの内壁は、前記弾性部材を取り付けるための受け部を有し、
前記弾性部材の両端は、前記受け部に嵌め込まれる折曲部を有し、
前記弾性部材の中間部分は、前記弾性部材が前記受け部に取り付けられたときに、前記電磁継電器本体の筐体に接触するように湾曲する第３平坦部を有し、
前記電磁継電器本体の筐体は、前記湾曲した第３平坦部が嵌め込まれる第１の嵌込部を有することを特徴とする請求項１又は２に記載の電磁継電器。
【請求項５】
前記外側カバーは、複数のカバー部材に分割され、
各カバー部材は、他方のカバー部材と係合する第３係合部を有することを特徴とする請求項４に記載の電磁継電器。
【請求項６】
前記外側カバーはその面に貫通孔を有し、前記弾性部材は当該貫通孔から挿入されることを特徴とする請求項１又は２に記載の電磁継電器。
【請求項７】
前記弾性部材は、前記電磁継電器本体の筐体と前記外側カバーの内壁とに接触する波形状部と、前記電磁継電器本体の筐体に沿った形状を有する第４平坦部と、前記電磁継電器本体の筐体に形成された溝と係合する突起と、を備えることを特徴とする請求項１又は２に記載の電磁継電器。
【発明の詳細な説明】
【技術分野】
【０００１】
本発明は、電磁継電器に関する。
【背景技術】
【０００２】
電磁継電器（以下リレーという）の振動（例えば、接点開閉時に生じる振動）が外部へ伝搬すると、騒音の原因となる。リレー本体から発生する振動がプラグ端子に伝播することを抑制するために、リレー本体とプラグ端子との間にバネ部材を介在させ、バネ部材がリレー本体を弾性的に支持する電磁継電器が知られている（例えば、特許文献１参照）。この電磁継電器では、リレー本体と外側カバーとの間にスペースが設けられている。
【先行技術文献】
【特許文献】
【０００３】
【特許文献１】特開２０１２−１４２２１０号公報
【発明の概要】
【発明が解決しようとする課題】
【０００４】
しかし、上記電磁継電器では、振動がバネ部材を伝播するため、騒音低減の効果が不十分である。
【０００５】
本発明は、リレー本体で発生する振動のリレー外部への伝搬を効果的に抑制することができる電磁継電器を提供することを目的とする。
【課題を解決するための手段】
【０００６】
上記目的を達成するため、明細書に開示された電磁継電器は、第１端子を含む電磁継電器本体と、前記第１端子と接触し、前記電磁継電器本体を支持する第２端子を含むベースと、前記電磁継電器本体を覆う外側カバーと、前記電磁継電器本体と前記外側カバーとの間に取り付けられる弾性部材とを備えることを特徴とする。
【発明の効果】
【０００７】
本発明の電磁継電器によれば、リレー本体で発生する振動のリレー外部への伝搬を効果的に抑制することができる。
【図面の簡単な説明】
【０００８】
【図１】図１は、第１実施例に係る電磁継電器の分解斜視図である。
【図２】図２は、電磁継電器の組立構造を示す斜視図である。
【図３】図３（Ａ），（Ｂ）は、電磁継電器を押し付けるバネの断面図である。
【図４】図４は、図２のＡ−Ａ線の断面図である。
【図５】図５は、第２実施例に係る電磁継電器の分解斜視図である。
【図６】図６は、電磁継電器の組立構造を示す斜視図である。
【図７】図７は、電磁継電器を押し付けるバネの断面図である。
【図８】図８は、図６のＢ−Ｂ線の断面図である。
【図９】図９は、図６のＡ−Ａ線の断面図である。
【図１０】図１０は、第３実施例に係る電磁継電器の分解斜視図である。
【図１１】図１１は、底面側からみた外側カバーの構造を示す図である。
【図１２】図１２は、弾性部材を挿入する前の第４実施例に係る電磁継電器の斜視図である。
【図１３】図１３は、弾性部材を挿入した後の第４実施例に係る電磁継電器の斜視図である。
【図１４】図１４（Ａ）は、弾性部材の形状を示す図であり、図１４（Ｂ）は、挿入前の変形した弾性部材の形状を示す図である。
【図１５】図１５は、図１２のＡ−Ａ線の断面図である。
【図１６】図１６は、第５実施例に係る電磁継電器の分解斜視図である。
【図１７】図１７は、電磁継電器の組立構造を示す斜視図である。
【図１８】図１８は、図１７のＡ−Ａ線の断面図である。
【図１９】図１９は、第６実施例に係る電磁継電器の分解斜視図である。
【図２０】図２０は、電磁継電器の組立構造を示す斜視図である。
【図２１】図２１は、図２０のＡ−Ａ線の断面図である。
【図２２】図２２は、第７実施例に係る電磁継電器の組立構造を示す斜視図である。
【図２３】図２３は、図２２のＡ−Ａ線の断面図である。
【図２４】図２４は、第８実施例に係る電磁継電器の分解斜視図である。
【図２５】図２５は、電磁継電器の組立構造を示す斜視図である。
【図２６】図２６は、図２５のＡ−Ａ線の断面図である。
【図２７】図２７は、第９実施例に係る電磁継電器の組立構造を示す斜視図である。
【図２８】図２８は、図２７のＢ−Ｂ線の断面図である。
【発明を実施するための形態】
【０００９】
以下、図面を参照しながら本発明の実施の形態を説明する。
【００１０】
（第１実施例）
図１は、第１実施例に係る電磁継電器の分解斜視図である。図２は、電磁継電器の組立構造を示す斜視図である。図３（Ａ），（Ｂ）は、電磁継電器を押し付けるバネの断面図である。図４は、図２のＡ−Ａ線の断面図である。以下では、便宜上、図１のように前後左右方向および上下方向を定義する。
【００１１】
図１に示すように、第１実施例に係る電磁継電器（以下、リレーという）１Ａは、外側カバー１１、リレー本体１４、及びベース１２を備えている。つまり、リレー本体１４を外側カバー１１及びベース１２で覆うことによって静音型のリレー１Ａが形成される。外側カバー１１及びベース１２は外側ケースを構成する。図４に示すように、外側カバー１１の内壁には、第１の溝としての溝１０１が形成されている。
【００１２】
リレー本体１４は、不図示の電磁石、可動接点及び固定接点、並びにコイル端子１７及び接点端子１８（図４参照）などを備える。コイル端子１７及び接点端子１８は第１端子として機能する。リレー本体１４は、いわゆるヒンジ式リレーでもよいし、プランジャー式リレーでもよい。図１に示すように、リレー本体１４の筐体１４Ａには第２の溝としての溝１５が形成されている。
【００１３】
図４に示すように、コイル端子１７及び接点端子１８は折り曲げられており、リレー本体１４の筐体１４Ａの底面と平行な平坦部１７Ａ及び１８Ａ（第１平坦部）を備えている。平坦部１７Ａ及び１８Ａは、リレー本体１４の筐体１４Ａの外部に突出している。
【００１４】
ベース１２は、リレー本体１４を支持する第２端子としての外部端子１６を備えている。外部端子１６は、不図示の外部装置に接続される、ベース１２から垂直に伸びる脚部１６Ａと、脚部１６Ａの上端から折り曲げられて、ベース１２の上面又はリレー本体１４の筐体１４Ａの底面と平行な平坦部１６Ｂ（第２平坦部）とを備えている。平坦部１６Ｂは、図４に示すように、組み立て時に平坦部１７Ａ及び１８Ａに面接触する。尚、図１，４の例では、外部端子１６が４つであり、コイル端子１７及び接点端子１８がそれぞれ２つであるが、外部端子１６、コイル端子１７及び接点端子１８の個数に制限はない。
【００１５】
図１では、外側カバー１１が透過されており、外側カバー１１の内壁に、弾性部材、即ち、板バネ１３が取り付けられている。板バネ１３は、図３（Ａ），（Ｂ）に示すように、断面凹凸形状である板バネ１３Ａ及び板バネ１３Ｂを含む。具体的には、板バネ１３Ａは、断面略Ｖ字形状であり、板バネ１３Ｂは、断面略Ｗ字形状である。
【００１６】
板バネ１３Ａ及び１３Ｂの両端には、外側カバー１１の内壁に形成された溝１０１と係合する第１係合部１３０が形成されている。また、板バネ１３の中間部分であり、リレー本体１４の筐体１４Ａと接する板バネ１３Ａの中央及び板バネ１３Ｂの２箇所の頂点には、筐体１４Ａに形成された溝１５と係合する第２係合部１３１が形成されている。
【００１７】
板バネ１３Ａ及び１３Ｂを取付けた外側カバー１１をベース１２上に配置されたリレー本体１４に被せると、板バネ１３Ａ及び１３Ｂの第２係合部１３１がリレー本体１４の筐体１４Ａに形成された溝１５と係合し、リレー本体１４の位置が固定される。尚、外側カバー１１は、ベース１２に接着剤で固定される。また、圧入によってベース１２が外側カバー１１に固定されてもよい。
【００１８】
第２係合部１３１が筐体１４Ａに接触することによって生じる板バネ１３Ａ及び１３Ｂがリレー本体１４を押し付ける力が、リレー本体１４のコイル端子１７及び接点端子１８（即ち、平坦部１７Ａ及び１８Ａ）をベース１２の外部端子１６（即ち、平坦部１６Ｂ）に押し付ける。このとき、平坦部１７Ａ及び１８Ａと平坦部１６Ｂとの間に発生する摩擦によって、リレー本体１４で発生する振動を減衰させ、リレー外部へ伝搬することが抑制される。
【００１９】
第１実施例では、板バネ１３（１３Ａ及び１３Ｂ）が外側カバー１１の前後左右及び上側の内壁に設けられているが、リレー本体１４で発生する振動を抑制できれば、板バネ１３を外側カバー１１の内壁の一部にだけ設けてもよく、例えば、外側カバー１１の左右の内壁にだけ板バネ１３Ｂを設けてもよい。あるいは、外側カバー１１の上側の内壁にだけ板バネ１３Ｂを設けてもよい。あるいは、外側カバー１１の前後の内壁にだけ板バネ１３Ａを設けてもよい。
【００２０】
（第２実施例）
図５は、第２実施例に係る電磁継電器の分解斜視図である。図６は、電磁継電器の組立構造を示す斜視図である。図７は、電磁継電器を押し付けるバネの断面図である。図８は、図６のＢ−Ｂ線の断面図である。図９は、図６のＡ−Ａ線の断面図である。尚、第１実施例と同様の構成要素には、同一の参照番号を付し、その説明を省略する。以下では、便宜上、図５のように前後左右方向および上下方向を定義する。
【００２１】
図５に示すように、第２実施例に係るリレー１Ｂは、外側カバー１１、リレー本体１４、及びベース１２を備えている。図９に示すように、外側カバー１１の内壁には、板バネ２１を取り付けるための受け部２０が形成されている。尚、図５，６では受け部２０が省略されている。
【００２２】
図５に示すように、リレー本体１４の筐体１４Ａの各面（底面を除く）には、平行に伸びる２つの棒状の突起２２（嵌込部の一例）が形成されている。図６及び８に示すように、２つの突起２２の間隔は、板バネ２１の幅ｗと同一である。板バネ２１は、２つの突起２２の間に嵌め込まれている。
【００２３】
図５，６では、外側カバー１１が透過されており、外側カバー１１の内壁に、弾性部材、即ち、板バネ２１が取り付けられている。また、図７に示すように、板バネ２１の両端には、外側カバー１１の内壁に形成された受け部２０に嵌め込まれる折曲部２１１が形成されている。また、板バネ２１の中央には、第３平坦部としての平坦部２１２が形成されている。図９に示すように板バネ２１が受け部２０に取り付けられる場合（即ち、図７に示すように板バネ２１が縮められる場合）、平坦部２１２は図７に示す折曲部２１１の折り曲げ方向に湾曲する、つまり、板バネ２１は、図９に示すリレー本体１４の筐体１４Ａに接するように湾曲する。この湾曲した平坦部２１２の一部が、図８，９に示すように、棒状突起２２の間に嵌め込まれる。板バネ２１を受け部２０に嵌め込んだ外側カバー１１をベース１２上に配置されたリレー本体１４に被せると、板バネ２１の平坦部２１２の一部がリレー本体１４の筐体１４Ａに形成された棒状突起２２の間に嵌め込まれ、リレー本体１４の位置が固定される。尚、外側カバー１１は、ベース１２に接着剤で固定される。また、圧入によってベース１２が外側カバー１１に固定されてもよい。
【００２４】
突起２２が筐体１４Ａに接触することで生じる板バネ２１がリレー本体１４を押し付ける力が、リレー本体１４のコイル端子１７及び接点端子１８（即ち、平坦部１７Ａ及び１８Ａ）をベース１２の外部端子１６（即ち、平坦部１６Ｂ）に押し付ける。このとき、平坦部１７Ａ及び１８Ａと平坦部１６Ｂとの間に発生する摩擦によって、リレー本体１４で発生する振動を減衰し、リレー外部へ伝搬することが抑制される。
【００２５】
第２実施例では、板バネ２１が外側カバー１１の内壁（つまり、前後左右及び上側の内壁）に設けられているが、板バネ２１を外側カバー１１の内壁の一部にだけ設けてもよい。例えば、板バネ２１を外側カバー１１の前後の内壁にだけ設けてもよいし、板バネ２１を外側カバー１１の左右の内壁にだけ設けてもよいし、又は板バネ２１を外側カバー１１の上側の内壁にだけ設けてもよい。
【００２６】
（第３実施例）
図１０は、第３実施例に係る電磁継電器の分解斜視図である。図１１は、底面側からみた外側カバーの構造を示す図である。尚、第２実施例と同様の構成要素には、同一の参照番号を付し、その説明を省略する。以下では、便宜上、図１０のように前後左右方向および上下方向を定義する。
【００２７】
図１０に示すように、第３実施例に係るリレー１Ｃは、外側カバー１１、リレー本体１４、及びベース１２を備えている。図１０，１１に示すように、外側カバー１１は、第１外側カバー１１Ａと、第２外側カバー１１Ｂとに分割されている。ここでは、外側カバー１１が２分割されているが、ｎ分割（ｎ＝３以上）されてもよい。
【００２８】
第１外側カバー１１Ａ及び第２外側カバー１１Ｂの内壁には、板バネ２１を取り付けるための受け部２０が形成されている。また、第２外側カバー１１Ｂと連結される第１外側カバー１１Ａの端部には、第３係合部としての凹部２３及び爪部２４が形成されている。同様に、第１外側カバー１１Ａと連結される第２外側カバー１１Ｂの端部には、凹部２３及び爪部２４が形成されている。第２外側カバー１１Ｂの爪部２４は第１外側カバー１１Ａの凹部２３に係合し、第１外側カバー１１Ａの爪部２４は第２外側カバー１１Ｂの凹部２３に係合する。第１外側カバー１１Ａ及び第２外側カバー１１Ｂは、凹部２３及び爪部２４により間隙がないように連結される。第３実施例では、外側カバー１１を分割できるので、板バネ２１を第１外側カバー１１Ａ及び第２外側カバー１１Ｂに取り付けやすい。
【００２９】
第３実施例では、板バネ２１が第１外側カバー１１Ａ及び第２外側カバー１１Ｂの内壁（つまり、前後左右及び上側の内壁）に設けられているが、板バネ２１を第１外側カバー１１Ａ及び第２外側カバー１１Ｂの内壁の全てに設ける必要はない。例えば、板バネ２１を第１外側カバー１１Ａ及び第２外側カバー１１Ｂの前後の内壁にだけ設けてもよいし、板バネ２１を第１外側カバー１１Ａ及び第２外側カバー１１Ｂの左右の内壁にだけ設けてもよいし、又は板バネ２１を第１外側カバー１１Ａ及び第２外側カバー１１Ｂの上側の内壁にだけ設けてもよい。
【００３０】
（第４実施例）
図１２は、弾性部材を挿入する前の第４実施例に係る電磁継電器の斜視図である。図１３は、弾性部材を挿入した後の電磁継電器の斜視図である。図１４（Ａ）は、弾性部材の形状を示す図であり、図１４（Ｂ）は、変形した弾性部材の形状を示す図である。図１５は、図１２のＡ−Ａ線の断面図である。尚、第１実施例と同様の構成要素には、同一の参照番号を付し、その説明を省略する。以下では、便宜上、図１２のように前後左右方向および上下方向を定義する。
【００３１】
図１２に示すように、第４実施例に係るリレー１Ｄは、外側カバー１１、リレー本体１４、及びベース１２を備えている。
【００３２】
図１２，１３では、外側カバー１１が透過されており、外側カバー１１の各面の中央には弾性部材を挿入するための貫通孔２５が形成されている。図１４（Ａ）に示すように、弾性部材２６は、ゴム又はバネ等で構成されており、自然の状態ではＹの字状の形状を有する。弾性部材２６は、胴部２６Ａ及び二股部２６Ｂを備えている。胴部２６Ａの寸法Ｄ１は、貫通孔２５よりも小さい。従って、胴部２６Ａは貫通孔２５を通過できる。一方、図１４（Ａ）のように広がった状態の二股部２６Ｂの幅Ｗ２は、貫通孔２５よりも大きい。従って、広がった状態の二股部２６Ｂは貫通孔２５を通過できない。弾性部材２６を貫通孔２５に通すためには、二股部２６Ｂに力を加えて、図１４（Ｂ）に示すように二股部２６Ｂを一時的に棒状に変形させて、貫通孔２５に挿入する。二股部２６Ｂは、貫通孔２５を通過して外側カバー１１の内部に入ると、図１３に示すように自然に広がる（つまり、図１４（Ａ）の形状に戻る）。
【００３３】
貫通孔２５に挿入された弾性部材２６の二股部２６Ｂが元の形状に戻る際に、二股部２６Ｂがリレー本体１４を押し付ける力が、リレー本体１４のコイル端子１７及び接点端子１８（即ち、平坦部１７Ａ及び１８Ａ）をベース１２の外部端子１６（即ち、平坦部１６Ｂ）に押し付ける。このとき、平坦部１７Ａ及び１８Ａと平坦部１６Ｂとの間に発生する摩擦によって、リレー本体１４で発生する振動がリレー外部へ伝搬することを抑制される。
【００３４】
尚、弾性部材２６の形状は、図１４（Ａ）に示す形状に限定されるものではない。例えば、弾性部材２６の両端に二股部２６Ｂが形成されていてもよい。
【００３５】
第４実施例では、外側カバー１１の各面（つまり、前後左右及び上側の面）の中央に貫通孔２５が形成され、弾性部材２６が貫通孔２５に挿入されているが、外側カバー１１の全ての面に貫通孔２５を形成する必要はなく、さらに、弾性部材２６を外側カバー１１の貫通孔２５の全てに挿入する必要もない。例えば、貫通孔２５を外側カバー１１の前後の面にだけ設けてもよいし、貫通孔２５を外側カバー１１の左右の面にだけ設けてもよいし、又は貫通孔２５を外側カバー１１の上面にだけ設けてもよい。例えば、弾性部材２６を外側カバー１１の前後の面の貫通孔２５にだけ挿入してもよいし、弾性部材２６を外側カバー１１の左右の面の貫通孔２５にだけ挿入してもよいし、又は弾性部材２６を外側カバー１１の上面の貫通孔２５にだけ挿入してもよい。
【００３６】
（第５実施例）
図１６は、第５実施例に係る電磁継電器の分解斜視図である。図１７は、電磁継電器の組立構造を示す斜視図である。図１８は、図１７のＡ−Ａ線の断面図である。尚、第１実施例と同様の構成要素には、同一の参照番号を付し、その説明を省略する。以下では、便宜上、図１６のように前後左右方向および上下方向を定義する。
【００３７】
図１６に示すように、第５実施例に係るリレー１Ｅは、外側カバー１１、リレー本体１４、ベース１２及び弾性部材２７を備えている。弾性部材２７は、例えばエラストマーで構成されている。図１７及び１８に示すように、弾性部材２７は、外側カバー１１と同様に、底面のないケース構造であり、筐体１４Ａに接触するようにリレー本体１４を覆い、外側カバー１１の内壁に接触する。
【００３８】
弾性部材２７を取り付けたリレー本体１４に外側カバー１１を被せると、筐体１４Ａに接触する弾性部材２７がリレー本体１４を押し付ける力が、リレー本体１４のコイル端子１７及び接点端子１８（即ち、平坦部１７Ａ及び１８Ａ）をベース１２の外部端子１６（即ち、平坦部１６Ｂ）に押し付ける。このとき、平坦部１７Ａ及び１８Ａと平坦部１６Ｂとの間に発生する摩擦によって、リレー本体１４で発生する振動がリレー外部へ伝搬することを抑制される。
【００３９】
（第６実施例）
図１９は、第６実施例に係る電磁継電器の分解斜視図である。図２０は、電磁継電器の組立構造を示す斜視図である。図２１は、図１７のＡ−Ａ線の断面図である。尚、第１実施例と同様の構成要素には、同一の参照番号を付し、その説明を省略する。以下では、便宜上、図１９のように前後左右方向および上下方向を定義する。
【００４０】
図１９に示すように、第６実施例に係るリレー１Ｆは、外側カバー１１、リレー本体１４、ベース１２及び弾性部材２８を備えている。弾性部材２８は、略コ字形状の板バネであり、波形状バネ２９（波形状部）と平坦バネ３０（第４平坦部）との一体化構造である。図２１に示すように、波形状バネ２９は外側カバー１１の内壁とリレー本体１４の前後の側面及び上面とに接触する。平坦バネ３０はリレー本体１４の前後方向の側面及び上面に沿った平板形状であり、外側カバー１１の内壁に接触しない。また、弾性部材２８の両端には、リレー本体１４の前後の側面の下端に設けられた溝３２と係合する突起３１が形成されている。弾性部材２８をリレー本体１４に被せて、突起３１を溝３２に嵌め込むことによって、弾性部材２８をリレー本体１４に簡単に装着することができる。
【００４１】
尚、溝３２は、リレー本体１４の前後の一対の側面に形成されているが、リレー本体１４の左右の一対の側面に形成されていてもよい。代わりに、溝３２はリレー本体１４の全側面に形成されていてもよい。この場合、弾性部材２８の大きさに応じて、弾性部材２８のリレー本体１４への装着位置を変えることができる。
【００４２】
図２０及び２１に示すように、弾性部材２８を取付けたリレー本体１４に外側カバー１１を被せると、波形状バネ２９がカバー１１と筐体１４Ａとに接触し、弾性部材２８がリレー本体１４を押し付ける力が、リレー本体１４のコイル端子１７及び接点端子１８（即ち、平坦部１７Ａ及び１８Ａ）をベース１２の外部端子１６（即ち、平坦部１６Ｂ）に押し付ける。このとき、平坦部１７Ａ及び１８Ａと平坦部１６Ｂとの間に発生する摩擦によって、リレー本体１４で発生する振動がリレー外部へ伝搬することを抑制される。
【００４３】
尚、図１９に示す弾性部材２８では、波形状バネ２９が筐体１４Ａの前後の側面及び上面に対向する位置に形成されているが、リレー本体１４で発生する振動を抑制できれば、波形状バネ２９を筐体１４Ａの面に対向する全ての位置に形成する必要はない。例えば、筐体１４Ａの前後の側面に対向する位置にだけ波形状バネ２９が形成されていてもよい。あるいは、筐体１４Ａの上面に対向する位置にだけ波形状バネ２９が形成されていてもよい。
【００４４】
（第７実施例）
図２２は、第７実施例に係る電磁継電器の組立構造を示す斜視図である。図２３は、図２２のＡ−Ａ線の断面図である。尚、第１実施例と同様の構成要素には、同一の参照番号を付し、その説明を省略する。
【００４５】
図２２に示すように、第７実施例に係るリレー１Ｇは、外側カバー１１、リレー本体１４、ベース１２及び複数の弾性部材３３を備えている。各弾性部材３３は、例えば、箱状のゴムなどで構成されている。各弾性部材３３は、外側カバー１１の内壁又はリレー本体１４の筐体１４Ａの面に接着剤で貼り付けられている。尚、弾性部材３３の個数は、図２２や図２３の例に限定されない。例えば、リレー本体１４の筐体１４Ａの１つの面とその１つの面に対向する外側カバー１１の内壁との間に、少なくとも１つの弾性部材３３が配置されていればよい。
【００４６】
弾性部材３３を取付けたリレー本体１４に外側カバー１１を被せる又はリレー本体１４に弾性部材３３を取付けた外側カバー１１を被せると、弾性部材３３がリレー本体１４を押し付ける力が、リレー本体１４のコイル端子１７及び接点端子１８（即ち、平坦部１７Ａ及び１８Ａ）をベース１２の外部端子１６（即ち、平坦部１６Ｂ）に押し付ける。このとき、平坦部１７Ａ及び１８Ａと平坦部１６Ｂとの間に発生する摩擦によって、リレー本体１４で発生する振動がリレー外部へ伝搬することを抑制される。
【００４７】
第７実施例では、弾性部材３３が筐体１４Ａの前後左右の側面及び上面に設けられている又は外側カバー１１の各内壁に設けられているが、弾性部材３３を筐体１４Ａの面の全て、又は外側カバー１１の内壁の全てに設ける必要はない。例えば、筐体１４Ａの左右の側面又は外側カバー１１の左右の内壁にだけ弾性部材３３を設けてもよい。あるいは、筐体１４Ａの上面又は外側カバー１１の上側の内壁にだけ弾性部材３３を設けてもよい。あるいは、筐体１４Ａの前後の側面又は外側カバー１１の前後の内壁にだけ弾性部材３３を設けてもよい。
【００４８】
（第８実施例）
図２４は、第８実施例に係る電磁継電器の分解斜視図である。図２５は、電磁継電器の組立構造を示す斜視図である。図２６は、図２５のＡ−Ａ線の断面図である。尚、第１実施例と同様の構成要素には、同一の参照番号を付し、その説明を省略する。以下では、便宜上、図２４のように前後左右方向および上下方向を定義する。
【００４９】
第８実施例に係るリレー１Ｈは、第１実施例に係るリレー１Ａと同様に、外側カバー１１、リレー本体１４、及びベース１２を備えている。第８実施例では、図２６に示すように、外側カバー１１の内壁に溝１５が形成されており、リレー本体１４の筐体１４Ａに、板バネ１３Ａ及び１３Ｂの第１係合部１３０と係合する溝１０１が形成されている。
図２４，２５では、外側カバー１１が透過されており、リレー本体１４の筐体１４Ａに板バネ１３Ａ及び１３Ｂが取り付けられている。板バネ１３Ａ及び１３Ｂの形状は、図３（Ａ），（Ｂ）に示す形状と同一である。
【００５０】
板バネ１３Ａ及び１３Ｂを取付けたリレー本体１４をベース１２上に配置し、外側カバー１１をリレー本体１４に被せると、板バネ１３Ａ及び１３Ｂの第２係合部１３１が外側カバー１１の内壁に形成された溝１５と係合し、外側カバー１１に対するリレー本体１４の位置が固定される。尚、外側カバー１１は、ベース１２に接着剤で固定される。また、圧入によってベース１２が外側カバー１１に固定されてもよい。
【００５１】
板バネ１３Ａ及び１３Ｂがリレー本体１４を押し付ける力がリレー本体１４のコイル端子１７及び接点端子１８（即ち、平坦部１７Ａ及び１８Ａ）をベース１２の外部端子１６（即ち、平坦部１６Ｂ）に押し付ける。このとき、平坦部１７Ａ及び１８Ａと平坦部１６Ｂとの間に発生する摩擦によって、リレー本体１４で発生する振動がリレー外部へ伝搬することを抑制される。
【００５２】
第８実施例では、板バネ１３（１３Ａ及び１３Ｂ）が筐体１４Ａの前後左右の側面及び上面に設けられているが、リレー本体１４で発生する振動を抑制できれば、板バネ１３を筐体１４Ａの一部の面、例えば、筐体１４Ａの左右の側面にだけ板バネ１３Ｂを設けてもよい。あるいは、筐体１４Ａの上面にだけ板バネ１３Ｂを設けてもよい。あるいは、筐体１４Ａの前後の側面にだけ板バネ１３Ａを設けてもよい。
【００５３】
（第９実施例）
図２７は、第９実施例に係る電磁継電器の組立構造を示す斜視図である。図２８は、図２７のＢ−Ｂ線の断面図である。尚、第１実施例及び第６実施例と同様の構成要素には、同一の参照番号を付し、その説明を省略する。以下では、便宜上、図２７のように前後左右方向および上下方向を定義する。
【００５４】
図２７に示すように、第９実施例に係るリレー１Ｉは、外側カバー１１、リレー本体１４、ベース１２及び弾性部材２８を備えている。弾性部材２８は、図１９に示すように、略コ字形状の板バネであり、波形状バネ２９と平坦バネ３０との一体化構造である。
【００５５】
図２８に示すように、リレー本体１４の上面に対向する外側カバー１１の内壁には、波形状バネ２９と当接し、弾性部材２８の幅方向のずれを防止するための平行に伸びる２つの突起３５が形成されている。つまり、突起３５の間に波形状バネ２９が配置される。尚、突起３５は、リレー本体１４の側面に対向する外側カバー１１の内壁にも形成されてもよい。
【００５６】
図２７及び２８に示すように、弾性部材２８を取付けたリレー本体１４に外側カバー１１を被せると、突起３５の間に波形状バネ２９が入り込む。そして、弾性部材２８がリレー本体１４を押し付ける力が、リレー本体１４のコイル端子１７及び接点端子１８（即ち、平坦部１７Ａ及び１８Ａ）をベース１２の外部端子１６（即ち、平坦部１６Ｂ）に押し付ける。このとき、平坦部１７Ａ及び１８Ａと平坦部１６Ｂとの間に発生する摩擦によって、リレー本体１４で発生する振動がリレー外部へ伝搬することを抑制される。さらに、突起３５が、弾性部材２８の幅方向のずれを防止する。
【００５７】
第１−９の実施例では、弾性部材として、板バネ、ゴム又はエストラマーが使用されているが、コイルバネが使用されてもよい。
【００５８】
以上説明したように、第１〜第９の実施例によれば、電磁継電器（１Ａ−１Ｉ）は、コイル端子１７及び接点端子１８を含むリレー本体１４と、コイル端子１７及び接点端子１８と接触し、リレー本体１４を支持する外部端子１６を含むベース１２と、リレー本体１４をベース１２と共に覆う外側カバー１１と、リレー本体１４と外側カバー１１との間に取り付けられる弾性部材（板バネ１３Ａ及び１３Ｂ、板バネ２１、又は弾性部材２６，２７，２８，３３）とを備えている。弾性部材がリレー本体１４を押し付ける力が、リレー本体１４のコイル端子１７及び接点端子１８をベース１２の外部端子１６に押し付けるので、コイル端子１７及び接点端子１８と外部端子１６との間に発生する摩擦によって、リレー本体１４で発生する振動がリレー外部へ伝搬することを抑制することができる。
【００５９】
尚、本発明は、上述した実施の形態に限定されるものではなく、その要旨を逸脱しない範囲内で種々変形して実施することが可能である。
【符号の説明】
【００６０】
１Ａ−１Ｉ  電磁継電器
１１  外側カバー
１２  ベース
１３Ａ，１３Ｂ，２１  板バネ
１４  リレー本体
１６  外部端子
１７  コイル端子
１８  接点端子
２２  棒状突起
２６，２７，２８，３３  弾性部材
【図１】
2017139166.tif 000003
【図２】
2017139166.tif 000004
【図３】
2017139166.tif 000005
【図４】
2017139166.tif 000006
【図５】
2017139166.tif 000007
【図６】
2017139166.tif 000008
【図７】
2017139166.tif 000009
【図８】
2017139166.tif 000010
【図９】
2017139166.tif 000011
【図１０】
2017139166.tif 000012
【図１１】
2017139166.tif 000013
【図１２】
2017139166.tif 000014
【図１３】
2017139166.tif 000015
【図１４】
2017139166.tif 000016
【図１５】
2017139166.tif 000017
【図１６】
2017139166.tif 000018
【図１７】
2017139166.tif 000019
【図１８】
2017139166.tif 000020
【図１９】
2017139166.tif 000021
【図２０】
2017139166.tif 000022
【図２１】
2017139166.tif 000023
【図２２】
2017139166.tif 000024
【図２３】
2017139166.tif 000025
【図２４】
2017139166.tif 000026
【図２５】
2017139166.tif 000027
【図２６】
2017139166.tif 000028
【図２７】
2017139166.tif 000029
【図２８】
2017139166.tif 000030